(57)【要約】【課題】  カラオケ利用者に十分な満足感を与える。【解決手段】  リモコンがカラオケ装置に「くくりつけ」られてリモコンとカラオケ装置との通信が可能となった時に、その「くくりつけ」られたカラオケ装置に未使用ライセンスを付与（貸与）する。これにより、いずれのカラオケ装置も使用（付与）されていないライセンスがあれば、カラオケ利用者がカラオケサービスの提供を受け始めた時点で、ライセンスを必要とする楽曲データをリモコンの表示パネルに表示することが可能となる。したがって、カラオケ利用者が再生したい楽曲データを速やかに選択指示するが可能となるので、カラオケ利用者に対して十分な満足感を与えることができる。【選択図】  図６
2007065154.tif 000002
【特許請求の範囲】
【請求項１】
楽曲データを再生するとともに、互いに通信回線を介して接続された複数のカラオケ装置と、
カラオケ利用者により操作され、前記カラオケ装置を遠隔操作するための遠隔操作手段と、
再生可能な楽曲データを表示する表示手段と、
楽曲データの再生を許可するライセンスが付与されて前記ライセンスが必要な楽曲データが再生可能な状態となっている前記カラオケ装置、及びいずれの前記カラオケ装置又は楽曲データにも付与されていないライセンスの有無を検出するライセンス使用状態監視手段と、
前記遠隔操作手段と前記カラオケ装置との通信が可能となり、かつ、前記ライセンス使用状態監視手段によっていずれの前記カラオケ装置又は楽曲データにも付与されていない前記ライセンスが有ると検出された場合に、前記遠隔操作手段との通信が可能となった前記カラオケ装置に前記ライセンスを付与する未使用ライセンス付与手段と
を有することを特徴とするカラオケシステム。
【請求項２】
楽曲データを前記カラオケ装置に配信するカラオケデータ配信ホスト装置を有し、
前記ライセンス使用状態監視手段及び前記未使用ライセンス付与手段は、前記複数のカラオケ装置のうち、前記カラオケデータ配信ホスト装置と通信可能なカラオケ装置に設けられていることを特徴とする請求項１に記載のカラオケシステム。
【請求項３】
前記遠隔操作手段と前記カラオケ装置との通信が不可能となったときに、前記ライセンスの付与を解除するライセンス付与解除手段を有することを特徴とする請求項１又は２に記載のカラオケシステム。
【請求項４】
前記ライセンス付与解除手段は、前記遠隔操作手段に対して所定の操作がされたときに、前記遠隔操作手段と前記カラオケ装置との通信が不可能となったと判断することを特徴とする請求項３に記載のカラオケシステム。
【発明の詳細な説明】
【技術分野】
【０００１】
本発明は、互いに通信回線を介して接続された複数のカラオケ装置を有するカラオケシステムに関する。
【背景技術】
【０００２】
カラオケ装置は、内部に記憶されている演奏データや画像データ等の楽曲データをカラオケ利用者の要望に応じて再生するものであるが、楽曲データ（カラオケデータ）には、予め所定の契約に基づいて再生することができる基本コンテンツと前記契約に含まれない有料コンテンツとがあり、有料コンテンツは、前記契約とは別に契約を結んでその有料コンテンツを再生する権利（ライセンス）を取得しない限り再生することができない。
【０００３】
ここで、基本コンテンツとは、ライセンス契約を要しない（ライセンスが付与されない）ものと定義され、有料コンテンツとは、ライセンス契約を要する（ライセンスが付与される）ものと定義される。
【０００４】
ところで、通常、有料コンテンツを再生するためのライセンス契約は、有料の楽曲データ毎にではなく、有料の楽曲データが記憶されているカラオケ装置毎に結ばれる。このため、複数のカラオケ装置が設置されている場合において、ライセンスを取得しているカラオケ装置とライセンスを取得していないカラオケ装置とが混在していると、以下のような問題が発生する。
【０００５】
一般的に楽曲データのライセンス管理は、楽曲データ提供者側、つまり通信カラオケ事業者で管理している。すなわち、カラオケサービスを提供するカラオケサービス提供者は、カラオケ装置の稼働状態に応じてカラオケ利用者が使用するカラオケ装置を決定し、カラオケ利用者自らが使用するカラオケ装置を特定することは、通常のカラオケサービス提供形態においては殆ど無い。
【０００６】
なお、カラオケサービス提供者とは、具体的には、カラオケ装置をカラオケルームに設置してカラオケ事業を行うカラオケボックス運営者等を挙げることができる。
このため、同一のカラオケサービス提供者を利用してカラオケサービスの提供を受けているにもかかわらず、カラオケボックスのカラオケルームに設置されたカラオケ装置には、ライセンス契約がされたカラオケ装置とライセンス契約がされていないカラオケ装置とが混在するため、同一の有料コンテンツ（楽曲データ）を再生できる場合のカラオケルームと再生できない場合のカラオケルームとが発生してしまう。
【０００７】
一方、カラオケ利用者は、いずれのカラオケ装置が有料コンテンツを再生するライセンスを取得しているかを知らないので、例えば同一のカラオケサービス提供者が提供するカラオケサービスにおいて、前回は有料コンテンツが利用可能なカラオケ装置が設置されてカラオケルームを利用したが、今回は有料コンテンツが利用できないカラオケ装置が設置されたカラオケルームを利用した場合に、「前回は有料コンテンツ（楽曲データ）を再生することができたのに、今回は、その同一の有料コンテンツ（楽曲データ）を再生することができない」といった不満感を抱いてしまう。このため、現状のカラオケシステムでは、カラオケサービス提供者が、カラオケ利用者に対して十分な満足感を与えることができないという問題を有している。
【０００８】
ところで、上記ライセンスの付与に関して、コンピュータソフトウェアにおいては、以下のような解決手段が提案されている（例えば、特許文献１参照）。
すなわち、この解決手段は、ライセンスを必要とするコンピュータソフトウェア（アプリケーションソフトウェア）の起動要求がされた時に、コンピュータシステム全体として取得（契約）しているライセンス数と、現在、既に起動しているライセンスが必要なコンピュータソフトウェアの数とを比較し、取得しているライセンス数が既に起動しているコンピュータソフトウェアの数より多いときに限り、そのライセンスが必要なコンピュータソフトウェアの起動を許可するものである。
【特許文献１】特開平７−２００４９２号公報
【発明の開示】
【発明が解決しようとする課題】
【０００９】
しかし、以下に説明するように、特許文献１に記載の発明をカラオケシステムにそのまま適用することはできない。
すなわち、カラオケシステムにおいて、ライセンスを必要とするコンピュータソフトウェアとは、ライセンスを必要とする有料コンテンツ（楽曲データ）であるが、仮に、特許文献１に記載の発明と同様に、カラオケ利用者がライセンスを必要とする有料コンテンツの再生を指示した時に、カラオケシステム全体として取得（契約）しているライセンス数と、現在、既に再生されているライセンスが有料コンテンツの数とを比較し、取得しているライセンス数が既に再生されている有料コンテンツの数より多いときに限り、そのライセンスが必要な有料コンテンツの再生を許可するといった構成とすると、カラオケ利用者が有料コンテンツの再生を指示しない限り、再生可能な楽曲データ（基本コンテンツも含む。）の全てをカラオケ利用者に表示することができない。
【００１０】
つまり、カラオケ利用者は、再生可能な楽曲データが表示されたリストの中から再生したい楽曲データを選択指示するので、上記のカラオケシステムでは、カラオケ利用者が有料コンテンツの再生を選択指示する前、つまりカラオケ利用者がカラオケサービスの提供を受け始めた時点においては、ライセンスを必要とする有料コンテンツ（楽曲データ）のリストを表示することができない。このため、上記のカラオケシステムでは、基本コンテンツからなる楽曲データのリストとは別に、ライセンスを必要とする有料コンテンツのみを表示した楽曲リストを必要とする。
【００１１】
したがって、上記のカラオケシステムでは、カラオケ利用者が再生したい楽曲データを速やかに選択指示することが難しく、カラオケ利用者に対して十分な満足感を与えることができない。
【００１２】
本発明は、上記点に鑑み、カラオケ利用者に十分な満足感を与えることを目的とする。
【課題を解決するための手段】
【００１３】
本発明は、上記目的を達成するために、請求項１に記載の発明では、楽曲データを再生するとともに、互いに通信回線を介して接続された複数のカラオケ装置と、カラオケ利用者により操作され、カラオケ装置を遠隔操作するための遠隔操作手段と、再生可能な楽曲データを表示する表示手段と、楽曲データの再生を許可するライセンスが付与されてライセンスが必要な楽曲データが再生可能な状態となっているカラオケ装置、及びいずれのカラオケ装置又は楽曲データにも付与されていないライセンスの有無を検出するライセンス使用状態監視手段と、遠隔操作手段とカラオケ装置との通信が可能となり、かつ、ライセンス使用状態監視手段によっていずれのカラオケ装置又は楽曲データにも付与されていないライセンスが有ると検出された場合に、遠隔操作手段との通信が可能となったカラオケ装置にライセンスを付与する未使用ライセンス付与手段とを有することを特徴とする。
【００１４】
これにより、遠隔操作手段とカラオケ装置との通信が可能となり、いずれのカラオケ装置又は楽曲データにも付与されていないライセンスが有れば、カラオケ利用者がカラオケサービスの提供を受け始めた時点で、ライセンスを必要とする楽曲データを表示手段に表示することが可能となる。
【００１５】
したがって、カラオケ利用者が再生したい楽曲データを速やかに選択指示するが可能となるので、カラオケ利用者に対して十分な満足感を与えることができる。
なお、本発明においては、各カラオケ装置間の通信方法、及び遠隔操作手段おカラオケ装置との通信方法は、無線又は有線のいずれの方法でもよい。
【００１６】
また、ライセンス使用状態監視手段は、カラオケシステムとして少なくとも１つ有していればよく、後述するように特定のカラオケ装置に設ける場合は勿論、ライセンス使用状態監視手段専用の機器を別途設けてもよい。
【００１７】
また、「遠隔操作手段との通信が可能となったカラオケ装置にライセンスを付与する」とは、遠隔操作手段との通信が可能となったカラオケ装置において、ライセンスが必要な楽曲データを再生することができるといった意味であり、カラオケ装置そのものにライセンスを付与することによりライセンスが必要な楽曲データの再生を可能とする場合は勿論、楽曲データにライセンスを付与する場合も含まれ、その具体的な態様は、ライセンス契約によって定められるものである。
【００１８】
また、表示手段は、後述するように遠隔操作手段（リモコン）に設けてもよいことは勿論のこと、カラオケ装置又は専用の表示機器に設けてもよい。
請求項２に記載の発明では、楽曲データをカラオケ装置に配信するカラオケデータ配信ホスト装置を有し、ライセンス使用状態監視手段及び未使用ライセンス付与手段は、複数のカラオケ装置のうち、カラオケデータ配信ホスト装置と通信可能なカラオケ装置に設けられていることを特徴とする。
【００１９】
ところで、カラオケデータ配信ホスト装置及び複数のカラオケ装置からからなるカラオケシステム（いわゆる、通信カラオケ）では、新規の演奏データや画像データ等の楽曲データを公衆通信回線を介してカラオケデータ配信ホスト装置からダウンロードしてカラオケ装置に記憶される。
【００２０】
しかし、個々のカラオケ装置それぞれがカラオケデータ配信ホスト装置と通信すると、通信費用を増大するとともに通信回線が混雑するので、通常、複数のカラオケ装置のうち特定のカラオケ装置（以下、このカラオケ装置をマスタ装置という。）とカラオケデータ配信ホスト装置との間で通信を行い、マスタ装置から他のカラオケ装置に新規の楽曲データを配信している。
【００２１】
このため、マスタ装置は、各カラオケ装置に記憶保存されている楽曲データの種類やライセンスを必要とする楽曲データの有無等に関する情報を容易に把握することができる。
したがって、請求項２に記載の発明のごとく、ライセンス使用状態監視手段及び未使用ライセンス付与手段を、カラオケデータ配信ホスト装置と通信可能なカラオケ装置に設ければ、ライセンス使用状態及び未使用ライセンスの付与状況等を効率よく監視管理することができる。
【００２２】
ところで、「発明が解決しようとする課題」の欄で述べたようなカラオケシステムでは、カラオケサービスの提供が始まった時からカラオケサービスの提供が終了するまでの間に、同一の有料コンテンツを再生することができない場合と再生することができる場合とが発生する。
【００２３】
すなわち、例えばカラオケサービスの提供が始まった直後においては、その有料コンテンツに関するライセンス数が既に再生されている有料コンテンツの数より多くても、その後、時間が経過して稼働しているカラオケ装置が増大すると、その有料コンテンツに関するライセンス数が既に再生されている有料コンテンツの数と同一となる場合がある。
【００２４】
そして、このような場合が発生すると、カラオケ利用者は、「カラオケを始めた直後は有料コンテンツ（楽曲データ）を再生することができたのに、その後は、カラオケを始めた時から同一のカラオケ装置を利用しているのに、その同一の有料コンテンツ（楽曲データ）を再生することができなくなった」といった不満感を抱いてしまうおそれが高いので、カラオケ利用者に対して十分な満足感を与えることが難しい。
【００２５】
これに対して、請求項３に記載の発明では、遠隔操作手段とカラオケ装置との通信が不可能となったときに、ライセンスの付与を解除するライセンス付与解除手段を有することを特徴としているので、カラオケサービスの提供が始まった時からカラオケサービスの提供が終了するまでの間はライセンスが付与され続ける。
【００２６】
したがって、カラオケサービスの提供が始まった時からカラオケサービスの提供が終了するまでの間において、同一の有料コンテンツを再生することができない場合と再生することができる場合とが混在するとはないので、カラオケ利用者に十分な満足感を与えることができる。
【００２７】
ところで、請求項３に記載の発明では、遠隔操作手段とカラオケ装置との通信が可能となった時からカラオケサービスの提供が始まり、遠隔操作手段とカラオケ装置との通信が不可能となった時にカラオケサービスの提供が終了したものと見なしているので、例えば遠隔操作手段がカラオケ装置と無線にて通信している際に、何らかの原因により無線通信ができなくなると、カラオケシステムは、カラオケサービスの提供が終了したものと誤認してしまうおそれがある。
【００２８】
これに対して、請求項４に記載の発明では、ライセンス付与解除手段は、遠隔操作手段に対して所定の操作がされたときに、遠隔操作手段とカラオケ装置との通信が不可能となったと判断するので、カラオケサービスの提供が終了したものと誤認してしまうことを防止できる。
【発明を実施するための最良の形態】
【００２９】
本実施形態は、通信回線を介して楽曲データを各カラオケ装置に配信する、いわゆる通信カラオケに本発明に係るカラオケシステムを適用したものであり、以下に本発明の実施形態を図面と共に説明する。
【００３０】
１．カラオケシステムの構成
図１は、本実施形態に係るカラオケシステムの全体概要を示すブロック図であり、図２はカラオケ店舗側におけるカラオケシステムの概要を示すブロック図である。
【００３１】
本実施形態に係るカラオケシステムは、カラオケ店舗に設置されてユーザに直接カラオケサービスを提供するカラオケ装置１０、２０、及びカラオケ店舗外に設置されてカラオケ装置１０、２０に楽曲データを配信するカラオケデータ配信ホスト装置（以下、センタ装置という。）１００等から構成されている。
【００３２】
カラオケ装置１０、２０は楽曲データを再生するもので、カラオケ店舗に設置された複数台のカラオケ装置１０、２０は互いに通信回線３００にて接続されてネットワークシステムを構成している。なお、カラオケ装置１０、２０の詳細は後述する
そして、本実施形態においては、シリアル番号００００１のカラオケ装置１０がマスタ（親機）となっており、シリアル番号００００２〜００００５の４台のカラオケ装置２０がマスタのカラオケ装置１０に対するスレーブ（子機）となっている。なお、スレーブ装置の台数は１台以上あればよく、スレーブ装置同士の区別を特にする必要はない。
【００３３】
また、マスタのカラオケ装置１０は、一般の電話回線や光通信回線等の一般公衆通信回線４００を介してセンタ装置１００と通信可能に接続されており、本実施形態では、スレーブのカラオケ装置２０は、マスターのカラオケ装置１０を介して楽曲データを受信する。
【００３４】
また、カラオケ店舗には、通信回線を介して接続されたカラオケ装置１０、２０に加えて、図２に示すように、カラオケ装置１０、２０を遠隔操作するためのリモートコントロールユニット３０（以下、リモコン３０と記す。）が設置されており、このリモコン３０は、赤外線を利用した無線通信方法にてカラオケ装置１０、２０と通信を行う。なお、リモコン３０の通信方法は、これに限定されるものではなく、例えばケーブルを用いた有線通信方法であってもよいことは言うまでもない。
【００３５】
また、リモコン３０には、再生可能な楽曲データのリスト等が表示される表示パネル３１が設けられており、本実施形態では、表示パネル３１として表示パネル３１のいずれかの部位に人間（ユーザ）が触れたか否かを関知して、その触れた部位を示す信号を発する、いわゆるタッチパネルを採用している。このため、ユーザは、表示パネル３１の所定部位に触れることによりリモコン３０（カラオケ装置１０、２０）を操作指示することができる。
【００３６】
解除クレードル４０は、ユーザによるリモコン３０の使用が終了したことカラオケ装置１０、２０に認識させるもので、この解除クレードル４０は通信回線３００を介してカラオケ装置１０、２０に接続されている。
【００３７】
１．２．センタ装置１００の構成
図３（ａ）はセンタ装置１００の概要構成を示す模式図である。
センタ装置１００は、図３（ａ）に示すように、ＣＰＵ１０６、ＲＯＭ１０８、ＲＡＭ１０７、ハードディスク記憶装置（ＨＤＤ）１０１、モデム０２及びブロードバンド用通信制御部１０３等を有して構成されており、ＣＰＵ１０６やＲＯＭ１０８等は、バス１０９を介して接続されている。
【００３８】
また、センタ装置１００のＨＤＤ１０１内には、楽曲演奏に使用する音楽情報や背景画又は歌詞等の画像情報等の楽曲データ、及びカラオケ装置１０、２０の作動を制御するシステムプログラムのバージョンアップ情報等が記憶されている。
【００３９】
そして、センタ装置１００は、カラオケ店舗に設置されたカラオケ装置（特に、マスタのカラオケ装置１０）と定期的に通信を行い、新規の楽曲データやシステムプログラムのバージョンアッププログラム等を各カラオケ装置１０、２０に配信するとともに、各カラオケ装置１０、２０で使用された有償楽曲データの使用回数等の情報を受信する。
【００４０】
１．３．マスタのカラオケ装置１０の構成
図３（ｂ）はマスタのカラオケ装置１０の概略構成を示す模式図である。
マスタのカラオケ装置１０は、図３（ｂ）に示すように、ＣＰＵ１６、ＲＯＭ１８、ＲＡＭ１７、ハードディスク記憶装置（ＨＤＤ）１１、モデム１２、ＬＡＮ回路１３、再生装置１４、及び入力装置１５等を有して構成されており、ＣＰＵ１６やＲＯＭ１８等は、バス１９を介して接続されている。
【００４１】
ここで、再生装置１４は、カラオケ演奏や背景映像・歌詞テロップの表示等を行う再生装置であり、この再生装置１４は図示しない音源装置、音声データ処理部、及び表示制御部等を有して構成されている。
【００４２】
入力装置１５は、カラオケ利用者からの操作指示（例えば曲の選択、演奏音のキーの調整、音量の調整等）を受け付ける入力装置であり、この入力装置１５はキースイッチやリモートコントローラ等から構成されている。なお、入力装置１５で行う操作指示は、リモコン３０を用いて行うことができる。
【００４３】
ＨＤＤ１１は種々のデータを記憶する記憶手段であり、このＨＤＤ１１に記憶されているデータとしては、楽曲データ等のセンタ装置１００から配信されるデータ、マスタのカラオケ装置１０を含むネットワークを構成する装置のグループリスト（図４（ａ）参照）、センタ装置１００からコンテンツデータの配信を受ける契約を結んだときに設定した接続電話番号（図４（ａ）参照）、センタ装置の電話番号（図４（ａ）参照）、認証成功日時等の管理情報（図４（ａ）参照）、並びに各カラオケ装置１０、２０の契約形態及びライセンスの使用状況を示すサービスリスト（図５参照）等がある。
【００４４】
モデム１２は、一般公衆電話回線４００を介してセンタ装置１００と通信を行うための通信手段であり、マスタのカラオケ装置１０は、一般公衆電話回線４００及びセンタ装置１００のモデム１０２を介してデータの授受を行う。
【００４５】
１．４．スレーブのカラオケ装置２０の構成
図３（ｃ）はスレーブのカラオケ装置２０の概略構成を示す模式図である。
スレーブのカラオケ装置２０は、図３（ｃ）に示すように、モデムの有無を除き、マスタのカラオケ装置１０（図３（ｂ）参照）と同じ構成である。つまり、ＣＰＵ２６、ＲＯＭ２８、ＲＡＭ２７、ハードディスク記憶装置（ＨＤＤ）２１、ＬＡＮ回路２３、再生装置２４、及び入力装置２５等をバス２９で接続したものである。
【００４６】
なお、スレーブのカラオケ装置２０のＨＤＤ２１に記憶されている楽曲データは、重複通信料の発生及び通信トラフィックの低減を図るべく、通常、スレーブが直接センタ装置１００から配信を受けるのではなく、マスタのカラオケ装置１０のＨＤＤ１１に記憶されている楽曲データが複写されることにより記憶される。
【００４７】
２．カラオケシステムの作動
カラオケシステムは、ユーザがリモコン３０又はカラオケ装置１０、２０を操作することより所望の楽曲データを再生するものであるが、本実施形態に係るカラオケシステムは、リモコン３０を用いてカラオケ装置１０、２０を遠隔操作する場合に特徴を有しているので、以下、リモコン３０を用いてカラオケ装置１０、２０（以下、単に「カラオケ装置２０」と記す。）を操作する場合における特徴的作動を説明する。
【００４８】
なお、本実施形態に係るカラオケシステムでは、有料コンテンツを再生するためのライセンス契約は、有料の楽曲データ毎にではなくカラオケ装置２０毎に結ばれている。したがって、カラオケシステム全体が保有しているライセンスの数は、ライセンス契約を結んでいるカラオケ装置２０の台数と一致する。
【００４９】
２．１．カラオケシステムの概略作動
本実施形態では、カラオケサービス提供者（カラオケ店舗）側からユーザにリモコン３０が貸与され、リモコン３０とカラオケ装置２０との通信が可能となった時からカラオケサービスの提供が開始され、リモコン３０とカラオケ装置２０との通信が不可能となった時にカラオケサービスの提供が終了する。
【００５０】
なお、以下、「リモコン３０とカラオケ装置２０とを通信可能にする」ことを「リモコン３０をカラオケ装置２０に『くくりつける』又は単に『くくりつけ』」と言い、「リモコン３０とカラオケ装置２０との通信を不可能にする」ことを「くくりつけを解除する」という。
【００５１】
図６は「くくりつけ処理」における、リモコン３０、くくりつけ先の（くくりつけられた）カラオケ装置２０、及びマスタのカラオケ装置１０（以下、マスタ装置１０記す。）間で行われる信号の授受を示すチャートである。
【００５２】
そして、リモコン３０がユーザに貸与されると、先ず、ユーザは指定されたカラオケ装置２０とリモコン３０との通信確認を行い、リモコン３０をそのカラオケ装置２０にくくりつける。このとき、くくりつけを指示する旨のコマンド及びリモコン３０の製造番号（シリアル番号）情報が、リモコン３０からカラオケ装置２０に送信される。
【００５３】
一方、リモコン３０からの通信確認を受けたカラオケ装置２０は、通信回線（ＬＡＮ）３００を介してマスタ装置１０に、いずれのカラオケ装置２０にも付与されていないライセンス（以下、このようなライセンスを未使用ライセンスという。）の有無を問い合わせる。
【００５４】
そして、カラオケ装置２０は、マスタ装置１０からその問い合わせに対する回答として、未使用ライセンスの有無、並びに未使用ライセンスが有る場合には、本来その未使用ライセンスを保有しているカラオケ装置２０のシリアル番号（製造番号）、及び未使用ライセンスの有無を問い合わせたカラオケ装置２０がライセンス契約を結んでいるか否か、つまり、リモコン３０にくくりつけられたカラオケ装置２０が提供することができるサービスの種別を通信回線３００を介して受信する。
【００５５】
マスタ装置１０からの回答を受信したカラオケ装置２０は、リモコン３０にくくりつけられたカラオケ装置２０が提供することができるサービスの種別、及びそのカラオケ装置２０の製造番号をリモコン３０に送信する。
【００５６】
図７は「くくりつけの解除処理」における、リモコン３０、くくりつけ先の（くくりつけられた）カラオケ装置２０、及びマスタ装置１０間で行われる信号の授受を示すチャートである。
【００５７】
リモコン３０に設けられた「くくりつけの解除処理」がユーザにより操作された場合、又はリモコン３０が解除クレードル４０に装着された場合には、くくりつけが解除される。このとき、リモコン３０が解除クレードル４０に装着された場合には、くくりつけを解除する旨のコマンド及びリモコン３０の製造番号が、通信回線３００を介してリモコン３０からくくりつけ先のカラオケ装置２０に送信される。
【００５８】
一方、くくりつけを解除する旨のコマンドを受信したカラオケ装置２０は、現在、自身に付与されているライセンスを開放（未使用）とすべき旨のコマンドを通信回線３００を介してマスタ装置１０に送信する。
【００５９】
ライセンスを開放（未使用）とすべき旨のコマンドを受信したマスタ装置１０は、ライセンスを開放（未使用）とする旨の回答を通信回線３００を介してカラオケ装置２０に送信し、ライセンスを開放（未使用）とする旨の回答を受信したカラオケ装置２０は、その回答を通信回線３００に接続された解除クレードル４０を介してリモコン３０に送信する。
【００６０】
２．２．カラオケシステムの詳細作動
２．２．１．リモコンの作動
図８はリモコン３０の作動を示すフローチャートであり、リモコン３０の電源スイッチ（図示せず。）が投入されると、先ず、リモコン３０に現在記憶されているカラオケ装置２０の製造番号（シリアル番号）が削除される（Ｓ１）。
【００６１】
次に、リモコン３０が解除クレードル４０に装着されているか否かが判定され（Ｓ３）、解除クレードル４０に装着されていないと判定された場合には（Ｓ３：ＮＯ）、リモコン３０の表示パネル３１に、「くくりつけ」を促す旨（図１６参照）が表示がされるとともに（Ｓ５）、表示パネル３１にユーザが触れたか否か、つまりユーザが「くくりつけ処理」の操作指示をしたか否かが判定される（Ｓ７）。
【００６２】
そして、「くくりつけ」を促す旨の表示がされた状態でユーザが表示パネル３１に触れると（Ｓ７：ＹＥＳ）、「くくりつけ処理」が指示されたものと判定され、「くくりつけ処理」及び「リモコン検索画面処理」が実行され（Ｓ９、Ｓ１１）、これらの処理が終了すると、表示パネル３１から「くくりつけ」を促す旨の表示が削除される（Ｓ１３、図１７参照）。なお、「くくりつけ処理」及び「リモコン検索画面処理」の詳細は、後述する。
【００６３】
一方、表示パネル３１にユーザが触れていないと判定された場合には（Ｓ７：ＮＯ）、リモコン３０が解除クレードル４０に装着されているか否かが判定され（Ｓ１５）、解除クレードル４０に装着されていないと判定された場合には（Ｓ１５：ＹＥＳ）、表示パネル３１から「くくりつけ」を促す旨の表示が削除される（Ｓ１３）。
【００６４】
また、Ｓ３にて解除クレードル４０に装着されていると判定された場合には（Ｓ３：ＹＥＳ）、「くくりつけ」が解除されているか否かが判定され（Ｓ１７）、「くくりつけ」が解除されていないと判定された場合には（Ｓ１７：ＮＯ）、「くくりつけの解除処理」が実行される（Ｓ１９）。なお、「くくりつけの解除処理」の詳細は後述する。
【００６５】
一方、「くくりつけ」が解除されていると判定された場合（Ｓ１７：ＹＥＳ）、又は「くくりつけの解除処理」が終了した場合には（Ｓ１９）、リモコン３０に記憶されている楽曲データ名や各カラオケ装置２０が提供可能なサービスの種別に関する情報を更新すべきタイミングであるか否か、つまり、前回、情報を更新した時から所定時間）が経過したか否かが判定される（Ｓ２１）。
【００６６】
そして、前回、情報を更新した時から所定時間が経過していないと判定された場合には（Ｓ２１：ＮＯ）、Ｓ３に戻り、一方、前回、情報を更新した時から所定時間が経過したと判定された場合には（Ｓ２１：ＹＥＳ）、定期更新処理が実行される（Ｓ２３）。なお、定期更新処理の詳細は後述する。
【００６７】
２．２．１．１．くくりつけ処理
図９は「くくりつけ処理」の制御を示すフローチャートであり、「くくりつけ処理」が起動されると、先ず、リモコン３０のシリアル番号（製造番号）が、くくりつけ先のカラオケ装置２０に送信される（Ｓ２５）。
【００６８】
次に、くくりつけ先のカラオケ装置２０からカラオケ装置２０の製造番号及びそのカラオケ装置２０が提供することができるサービスの種別に関する情報を取得（受信）できたか否かが判定され（Ｓ２７）、これらの情報を取得することができたと判定された場合には、これらの情報がリモコン３０に内蔵された記憶装置に記憶される（Ｓ２９）。
【００６９】
なお、カラオケ装置２０が提供することができるサービスの種別は、前述したように、マスタ装置１０からカラオケ装置２０に提供された情報であり、カラオケ装置２０は、リモコン３０からリモコン３０の製造番号が送信されたときに、マスタ装置１０に対して自身が有するサービスの種別の情報を提供を要求する。
【００７０】
２．２．１．２．検索画面表示処理
図１０は「検索画面表示処理」の制御を示すフローチャートであり、「検索画面表示処理」が起動されると、先ず、前回作成した検索画面用データが削除される（Ｓ３１）。
【００７１】
次に、サービス別楽曲データ存在データベース全体が読み込まれる（Ｓ３３）。ここで、サービス別楽曲データ存在データベースとは、図１８に示すように、ラインセンス契約を必要とする楽曲データの番号、及びラインセンス契約を必要としない楽曲データの番号を記憶したデータベースを言い、このサービス別楽曲データ存在データベースは、定期更新処理時に作成される。
【００７２】
そして、サービス別楽曲データ存在データベース全体が読み込まれると、検索画面用楽曲データベースを構築する楽曲データに関する情報が全て読み込まれたか否かが判定され（Ｓ３５）、全ての楽曲データに関する情報が全て読み込まれていないと判定された場合には（Ｓ３５：ＮＯ）、検索画面用楽曲データベースから１件分の楽曲データに関する情報が読み込まれる（Ｓ３７）。
【００７３】
ここで、検索画面用楽曲データベースとは、図１９に示すように、楽曲データの番号とその曲面（タイトル名）との対応表であり、この検索画面用楽曲データベースも、サービス別楽曲データ存在データベースと同様に定期更新処理時に作成される。
【００７４】
次に、Ｓ３７にて読み込まれた楽曲データがライセンス契約を要する有料コンテンツであるか否かが判定され（Ｓ３９）、Ｓ３７にて読み込まれた楽曲データがライセンス契約を要しない基本コンテンツであると判定された場合には（Ｓ３９：ＮＯ）、Ｓ３７にて読み込まれた楽曲データが検索画面表示用メモリエリアに書き込まれる（Ｓ４３）。
【００７５】
一方、Ｓ３７にて読み込まれた楽曲データが有料コンテンツであると判定された場合には（Ｓ３９：ＹＥＳ）、その有料コンテンツを再生（使用）することがライセンスがあるか否か、つまり、「くくりつけ処理」がされた時点で未使用ライセンスがあるか否かが判定される（Ｓ４１）。
【００７６】
そして、有料コンテンツを再生（使用）することがライセンスが有る、つまり未使用ライセンスがあると判定された場合には（Ｓ４１：ＹＥＳ）、その未使用ライセンスが付与されたものとしてＳ３７にて読み込まれた楽曲データが検索画面表示用メモリエリアに書き込まれた後（Ｓ４３）、再び、検索画面用楽曲データベースから１件分の楽曲データに関する情報が読み込まれる（Ｓ３５、Ｓ３７）。
【００７７】
一方、有料コンテンツを再生（使用）することがライセンスがないと判定された場合には（Ｓ４１：ＮＯ）、Ｓ３７にて読み込まれた楽曲データが検索画面表示用メモリエリアに書き込まれることなく、再び新たに索画面用楽曲データベースから１件分の楽曲データに関する情報が読み込まれる（Ｓ３５、Ｓ３７）。
【００７８】
そして、全ての楽曲データに関する情報が全て読み込まれると（Ｓ３５：ＹＥＳ）、検索画面表示用メモリエリアに作成された検索画面表示用データ（図２０参照）が表示パネル３１に表示され（Ｓ４５）、本処理が終了する。
【００７９】
２．２．１．３．くくりつけ解除処置
図１１は「くくりつけ解除処理」の制御を示すフローチャートであり、このフローチャートが起動されると、先ず、リモコン３０に現在記憶されているカラオケ装置２０の製造番号（シリアル番号）が削除される（Ｓ４７）。次に、解除クレードル４０及び通信回線３００を介してマスタ装置１０に「くくりつけを解除」した旨の通知が送信される（Ｓ４９）。
【００８０】
２．２．１．４．定期更新処理
図１２は定期更新処理の制御を示すフローチャートであり、この定期更新処理が起動されると、先ず、表示パネル３１に定期更新中である旨が表示される（Ｓ５１）。
【００８１】
次に、解除クレードル４０及び通信回線３００を介してマスタ装置１０からサービス別楽曲データ存在データベース及び検索画面用楽曲データベースに関する最新データが読み込まれ（Ｓ５３）、全ての最新データが読み込まれると、定期更新中である旨の表示が表示パネル３１から削除される（Ｓ５５）。
【００８２】
２．２．２．カラオケ装置２０の制御
図１３は「くくりつけ」の対象となっているカラオケ装置２０で実行される制御を示すフローチャートであり、この制御フローはカラオケ装置２０の電源スイッチ（起動スイッチ）が投入されると起動する。
【００８３】
そして、カラオケ装置２０の電源スイッチが投入されると、先ず、リモコン３０からの「くくりつけ指示」コマンドが受信されたか否かが判定され（Ｓ６１）、「くくりつけ指示」コマンドが受信されたと判定された場合には（Ｓ６１：ＹＥＳ）、未使用ライセンスがあるか否か、つまりいずれのカラオケ装置２０にも使用（付与）されていないライセンスがあるか否かがマスタ装置１０に問い合わせられる（Ｓ６３）。
【００８４】
次に、上記問い合わせに対する回答が受信されたか否かが判定され（Ｓ６５）、マスタ装置１０からの回答が受信された場合には（Ｓ６５：ＹＥＳ）、その回答内容が記憶される（Ｓ６７）。ここで、マスタ装置１０からの回答内容とは、未使用ライセンスの有無、並びに未使用ライセンスが有る場合には、本来その未使用ライセンスを保有しているカラオケ装置２０のシリアル番号（製造番号）、及び未使用ライセンスの有無を問い合わせたカラオケ装置２０が提供することができるサービスの種別等である。
【００８５】
そして、マスタ装置１０からの回答内容が記憶されると、サービスの種別及びそのカラオケ装置２０の製造番号が「くくりつけ指示」をしたリモコン３０に送信され（Ｓ６９）、「くくりつけ処理」に対するカラオケ装置２０の処理が終了する。なお、以下、未使用ライセンスが有る旨の回答を受信したものとして説明する。
【００８６】
サービスの種別及びそのカラオケ装置２０の製造番号がリモコン３０に送信され、「くくりつけ処理」に対するカラオケ装置２０の処理が終了すると、「くくりつけ解除指示」のコマンドが受信されたか否かが判定され（Ｓ７１）、「くくりつけ解除指示」のコマンドが受信されていないと判定されると（Ｓ７１：ＮＯ）、リモコン３０が操作されて楽曲データの再生予約がされたか否かが判定される（Ｓ７３）。
【００８７】
そして、楽曲データの再生予約がされたと判定された場合には（Ｓ７３：ＹＥＳ）、その予約された楽曲データが基本コンテンツであるか有料コンテンツであるかが判定される（Ｓ７７）。
【００８８】
このとき、予約された楽曲データが有料コンテンツであると判定された場合には、本来その未使用ライセンスを保有しているカラオケ装置２０のＨＤＤ２１から自身のＨＤＤ２１にその予約された楽曲データが複写された後、その複写された楽曲データが再生され（Ｓ７９）、一方、その予約された楽曲データが基本コンテンツであると判定された場合には、自身のＨＤＤ２１に記憶されているその楽曲データが再生される（Ｓ８１）。
【００８９】
また、Ｓ７１にて「くくりつけ解除指示」のコマンドが受信されたと判定された場合には（Ｓ７１：ＹＥＳ）、「くくりつけ」を解除する旨の通知がマスタ装置１０に送信された後（Ｓ８３）、マスタ装置１０からの回答を受信したか否かが判定される（Ｓ８５）。
【００９０】
そして、マスタ装置１０から「くくりつけ解除」を受領した旨の回答を受信した場合には（Ｓ８５：ＹＥＳ）、Ｓ６７にて記憶された内容及びＳ７９にて複写された楽曲データが自身のＨＤＤ２１から消去された後（Ｓ８７）、「くくりつけ」されているリモコン３０に「くくりつけ解除」の回答が送信される（Ｓ８９）。
【００９１】
因みに、Ｓ６５にて未使用ライセンスが無い旨の回答を受信した場合には、リモコン３０に有料（有償）が表示されないので（図１０参照）、このような場合は、常にＳ８１が実行されることとなる。
【００９２】
２．２．３．マスタ装置１０の制御
図１４は、マスタ装置１０にて実行される「くくりつけ」に関連した制御フローを示すフローチャートである。なお、マスタ装置１０は、通常、常に稼働しており、図１４に示す制御フローは、タイマー割り込みにて定期的に実行される。
【００９３】
先ず、カラオケ装置２０を介してリモコン３０からの「くくりつけ要請」コマンドを受信した否かが判定され（Ｓ９１）、「くくりつけ要請」コマンドを受信したと判定された場合には（Ｓ９１：ＹＥＳ）、マスタ装置１０のＨＤＤ１１に記憶されているサービスリスト（図５参照）に基づいて未使用ライセンス、つまり、いずれのカラオケ装置２０にも使用（付与）されていないライセンスがあるか否かが判定される（Ｓ９３）。
【００９４】
そして、未使用ライセンスがあると判定された場合には（９３：ＹＥＳ）、「くくりつけ要請」コマンドを送信したカラオケ装置２０が、本来その未使用ライセンスが契約されてカラオケ装置２０であるか否かが判定される（Ｓ９５）。
【００９５】
このとき、「くくりつけ要請」コマンドを送信したカラオケ装置２０が、本来その未使用ライセンスが契約されてカラオケ装置２０でないと判定された場合には（Ｓ９５：ＹＥＳ）、本来その未使用ライセンスが契約されてカラオケ装置２０、つまり本来その未使用ライセンスを保有しているカラオケ装置２０に対して、有料コンテンツの再生ができない旨のコマンド（以下、このコマンドをライセンス貸し出しコマンドという。）が送信されるとともに、サービスリストが、例えば図５（ａ）から図５（ｂ）に更新された後（Ｓ９９）、本来その未使用ライセンスを保有しているカラオケ装置２０のシリアル番号及びサービスの種別が、未使用ライセンスの有無を問い合わせたカラオケ装置２０に送信される（Ｓ１０１）。
【００９６】
一方、「くくりつけ要請」コマンドを送信したカラオケ装置２０が、本来その未使用ライセンスが契約されてカラオケ装置２０であると判定された場合には（Ｓ９５：ＮＯ）、ライセンス貸し出しコマンドが送信されることなく、サービスリストのカラオケ装置使用状況及びライセンス貸与情報が、例えば図５（ａ）から図５（ｂ）に更新され（Ｓ９９）、その未使用ライセンスを保有しているカラオケ装置２０、つまり未使用ライセンスの有無を問い合わせたカラオケ装置２０のシリアル番号及びサービスの種別がそのカラオケ装置２０に送信される（Ｓ１０１）。
【００９７】
また、Ｓ９３にて未使用ライセンスがないと判定された場合には（Ｓ９３：ＮＯ）、未使用ライセンスがない旨、つまり基本コンテンツのみ再生でき、有料コンテンツは再生できない旨が未使用ライセンスの有無を問い合わせたカラオケ装置２０に送信される（Ｓ１０３）。
【００９８】
そして、Ｓ９１にてくくりつけ要請」コマンドを受信していないと判定された場合（Ｓ９１：ＮＯ）、又は未使用ライセンスの有無を問い合わせたカラオケ装置２０に回答を送信した場合には（Ｓ１０１、Ｓ１０３）、「くくりつけ解除要請」コマンドを受信したか否かが判定され（Ｓ１０５）、「くくりつけ解除要請」コマンドを受信したと判定された場合には（Ｓ１０５：ＹＥＳ）、解除要請処理が実行され、一方、「くくりつけ解除要請」コマンドを受信していないと判定された場合には（Ｓ１０５：ＮＯ）、Ｓ９１に戻る。
【００９９】
なお、図１５は解除要請処理の制御フローを示すフローチャートであり、この解除要請処理が起動されると、先ず、Ｓ９７にて送信されたライセンス貸し出しコマンドを取り消す旨のコマンドが送信されるととともに（Ｓ１０９）、サービスリストのカラオケ装置使用状況及びライセンス貸与情報が、例えば図５（ｂ）から図５（ａ）に更新された後（Ｓ１１１）、「くくりつけ解除要請」コマンドを送信したカラオケ装置２０に対して「くくりつけ解除」が終了した旨が通知される（Ｓ１１３）。
【０１００】
３．本実施形態に係るカラオケシステムの特徴
本実施形態に係るカラオケシステムでは、前述したように、リモコン３０がカラオケ装置２０に「くくりつけ」られてリモコン３０とカラオケ装置１０、２０との通信が可能となり、いずれのカラオケ装置１０、２０にも使用（付与）されていないライセンスがあれば、カラオケ利用者がカラオケサービスの提供を受け始めた時点で、ライセンスを必要とする楽曲データを表示パネル３１に表示することが可能となる。
【０１０１】
したがって、カラオケ利用者が再生したい楽曲データを速やかに選択指示するが可能となるので、カラオケ利用者に対して十分な満足感を与えることができる。
なお、本発明においては、各カラオケ装置間の通信方法、及び遠隔操作手段おカラオケ装置との通信方法は、無線又は有線のいずれの方法でもよい。
【０１０２】
ところで、通信カラオケシステムでは、新規の楽曲データを公衆通信回線４００を介してセンタ装置１００からダウンロードしてカラオケ装置１０、２０に記憶される。
しかし、個々のカラオケ装置１０、２０それぞれがセンタ装置１００と通信すると、通信費用を増大するとともに通信回線が混雑するので、本実施形態では、マスタ装置１０とセンタ装置１００との間で通信を行い、マスタ装置１０から他のカラオケ装置２０に新規の楽曲データを配信している。
【０１０３】
このため、マスタ装置１０は、図４及び図５に示すように、各カラオケ装置１０、２０に記憶保存されている楽曲データの種類やライセンスを必要とする楽曲データの有無等に関する情報を常に把握している。
【０１０４】
したがって、未使用ライセンスの有無や未使用ライセンスの付与（貸与）等をマスタ装置１０で行えば、ライセンス使用状態及び未使用ライセンスの付与状況等を効率よく監視管理することができる。
【０１０５】
ところで、「発明が解決しようとする課題」の欄で述べたようなカラオケシステムでは、カラオケサービスの提供が始まった時からカラオケサービスの提供が終了するまでの間に、同一の有料コンテンツを再生することができない場合と再生することができる場合とが発生する。
【０１０６】
すなわち、例えばカラオケサービスの提供が始まった直後においては、その有料コンテンツに関するライセンス数が既に再生されている有料コンテンツの数より多くても、その後、時間が経過して稼働しているカラオケ装置が増大すると、その有料コンテンツに関するライセンス数が既に再生されている有料コンテンツの数と同一となる場合がある。
【０１０７】
そして、このような場合が発生すると、カラオケ利用者は、「カラオケを始めた直後は有料コンテンツ（楽曲データ）を再生することができたのに、その後は、カラオケを始めた時から同一のカラオケ装置を利用しているのに、その同一の有料コンテンツ（楽曲データ）を再生することができなくなった」といった不満感を抱いてしまうおそれが高いので、カラオケ利用者に対して十分な満足感を与えることが難しい。
【０１０８】
これに対して、本実施形態では、リモコン３０が解除クレードル４０に装着されてリモコン３０とカラオケ装置２０との「くくりつけ」が解除されたときに、リモコン３０とカラオケ装置２０とが通信不可能となったものと見なして、ライセンスの付与を解除するので、カラオケサービスの提供が始まった時からカラオケサービスの提供が終了するまでの間はライセンスが付与され続ける。
【０１０９】
したがって、カラオケサービスの提供が始まった時からカラオケサービスの提供が終了するまでの間において、同一の有料コンテンツを再生することができない場合と再生することができる場合とが混在するとはないので、カラオケ利用者に十分な満足感を与えることができる。
【０１１０】
ところで、例えばリモコン３０がカラオケ装置２０と無線通信している際に、何らかの原因により無線通信ができなくなると、カラオケシステムは、「くくりつけ」が解除されてカラオケサービスの提供が終了したものと誤認してしまうおそれがある。
【０１１１】
これに対して、本実施形態では、リモコン３０とカラオケ装置２０との通信が不可能となったか否か、つまり「くくりつけ」が解除されたか否かの判断を、リモコン３０が解除クレードル４０に装着されたか否かに基づいて行っているので、カラオケサービスの提供が終了したものと誤認してしまうことを確実に防止できる。
【０１１２】
４．発明特定事項と実施形態との対応関係
本実施形態では、リモコン３０が特許請求の範囲に記載された遠隔操作手段に相当し、表示パネル３１が特許請求の範囲に記載された表示手段に相当し、マスタ装置１０のＣＰＵ１６及びＲＯＭ１８等が特許請求の範囲に記載されたイセンス使用状態監視手段、未使用ライセンス付与手段及びライセンス付与解除手段に相当し、センタ装置１００が特許請求の範囲に記載されたカラオケデータ配信ホスト装置に相当する。
【０１１３】
（その他の実施形態）
上述の実施形態では、マスタ装置１０がライセンスの管理及び監視をしていたが、本発明はこれに限定されるものではなく、ライセンスの管理及び監視のみを行う専用の装置を設けてもよい。
【０１１４】
また、上述の実施形態では、カラオケ装置１０、２０毎にライセンス契約を結んだ例にて本発明を説明したが、本発明はこれに限定されるものではなく、楽曲データ毎にライセンス契約を結んだカラオケシステムにも適用することができる。
【０１１５】
また、上述の実施形態では、再生可能な楽曲データの表示及びリストの作成をリモコン３０で行ったが、本発明はこれに限定されるものではない。
また、上述の実施形態では、通信カラオケに本発明を適用したが、本発明の適用はこれに限定されるものではない。
【０１１６】
また、本発明は、特許請求の範囲に記載された発明の趣旨に合致するものであればよく、上述の実施形態に限定されるものではない。
【図面の簡単な説明】
【０１１７】
【図１】本発明の実施形態に係るカラオケシステムの模式図である。
【図２】本発明の実施形態に係るカラオケシステムの模式図である。
【図３】（ａ）はセンタ装置の模式図であり、（ｂ）はマスタ装置の模式図であり、（ｃ）はカラオケ装置（子機）の模式図である。
【図４】認証及び動作制限のために用いられる情報についての説明図である。
【図５】サービスリストを示す図表である。
【図６】「くくりつけ処理」における、リモコン３０、くくりつけ先の（くくりつけられた）カラオケ装置２０、及びマスタ間で行われる信号の授受を示すチャートである。
【図７】「くくりつけの解除処理」における、リモコン３０、くくりつけ先の（くくりつけられた）カラオケ装置２０、及びマスタ装置１０間で行われる信号の授受を示すチャートである。
【図８】リモコン３０の作動を示すフローチャートである。
【図９】「くくりつけ処理」の制御を示すフローチャートである。
【図１０】「検索画面表示処理」の制御を示すフローチャートである。
【図１１】「くくりつけ解除処理」の制御を示すフローチャートである。
【図１２】定期更新処理の制御を示すフローチャートである。
【図１３】「くくりつけ」の対象となっているカラオケ装置２０で実行される制御を示すフローチャートである。
【図１４】マスタ装置１０にて実行される「くくりつけ」に関連した制御フローを示すフローチャートである。
【図１５】除要請処理の制御フローを示すフローチャートである。
【図１６】リモコン３０の表示状態を示す図である。
【図１７】リモコン３０の表示状態を示す図である。
【図１８】サービス別楽曲データベースを示す図表である。
【図１９】検索画面用データを示す図表である。
【図２０】曲番号と曲名との対応関係を示す図表である。
【符号の説明】
【０１１８】
１０…カラオケ装置、１２…モデム、１３…ＬＡＮ回路、１４…再生装置、
１５…入力装置、１９…バス、２０…カラオケ装置、２３…ＬＡＮ回路、
２４…再生装置、２９…バス、３０…リモートコントロールユニット（リモコン）、
３１…表示パネル、４０…解除クレードル、１００…センタ装置、
１０２…モデム、１０９…バス、３００…通信回線、４００…一般公衆通信回線。
【図１】
2007065154.tif 000003
【図３】
2007065154.tif 000004
【図４】
2007065154.tif 000005
【図６】
2007065154.tif 000006
【図７】
2007065154.tif 000007
【図８】
2007065154.tif 000008
【図９】
2007065154.tif 000009
【図１０】
2007065154.tif 000010
【図１１】
2007065154.tif 000011
【図１２】
2007065154.tif 000012
【図１３】
2007065154.tif 000013
【図１４】
2007065154.tif 000014
【図１５】
2007065154.tif 000015
【図１８】
2007065154.tif 000016
【図１９】
2007065154.tif 000017
【図２０】
2007065154.tif 000018
【図２】
2007065154.tif 000019
【図５】
2007065154.tif 000020
【図１６】
2007065154.tif 000021
【図１７】
2007065154.tif 000022